(57)【要約】【課題】  印刷されたインクジェット用紙を貼付したアルバム台紙は、保存環境により、「反り」が発生し、見栄えが劣化する場合がある。この「反り」を安価に抑制することのできるアルバム台紙とインクジェット用紙の貼付方法を提供する。【解決手段】  アルバム台紙に、印刷されたインクジェット用紙を貼付して作成するアルバムにおいて、アルバム台紙基材の縦目とインクジェット用紙基材の縦目が交差するように貼付する方法であり、特に、直交するように貼付する方法。【選択図】  図２
2011046014.tif 000002
【特許請求の範囲】
【請求項１】
アルバム台紙に、印刷されたインクジェット用紙を貼付して作成するアルバムにおいて、アルバム台紙基材の縦目とインクジェット用紙基材の縦目が交差するように貼付することを特徴とするアルバム台紙貼付方法。
【請求項２】
前記アルバム台紙基材の縦目とインクジェット用紙基材の縦目が直交するように貼付することを特徴とする請求項１記載のアルバム台紙貼付方法。
【請求項３】
前記台紙、インクジェット用紙基材の目の方向を示す図柄が、台紙表面、インクジェット用紙裏面に印刷されていることを特徴とする請求項１、２記載のアルバム台紙貼付方法。
【発明の詳細な説明】
【技術分野】
【０００１】
本発明は、アルバム台紙貼付方法に関するものである。
【背景技術】
【０００２】
一般的に、写真などを貼付して保存するアルバムは、複数枚の台紙が、種々の製本方式で表紙に綴じられており、その台紙には再剥離性の粘着剤が塗布されており、かつその面は透明フィルムで覆われている。そしてこのフィルムを剥離して写真を貼付し、再度そのフィルムで覆い、アルバムとして保存される。
【０００３】
従来、写真としては、銀塩方式で印画紙にプリントされたものが一般的であったが、昨今インクジェット方式で専用写真用紙等のインクジェット用紙に印刷されたものが急増してきた。これに対応して、印刷されたインクジェット用紙を貼付して保存するタイプのアルバムも市販されはじめている。
【０００４】
写真印刷に用いるインクジェット用紙は、紙もしくはＲＣ紙からなる基材上に、インクを吸収するインク受容層が積層されている。インク受容層としては、膨潤性樹脂を用いたものや、シリカ、アルミナ等の無機微粒子とそれを結着させる樹脂からなるものがある。このように基材とインク受容層の材料が異なるため、保存環境により、「反り」が発生する場合がある。
【０００５】
一方、アルバム台紙もその基材表裏のパルプや填料状態に差があり、かつ粘着剤、透明フィルムがあるため、やはり保存環境により「反り」が発生する場合がある。
【０００６】
また、表紙も保存環境により「反り」が発生する場合がある。表紙板として、表紙を構成する表材と芯材の目の方向が直交するようにしたものが開示されており（特許文献１参照）、これをアルバム表紙に応用することが可能であると考えられる。
【０００７】
アルバム台紙としては、保存環境、即ち温湿度環境の影響を低減させるために、台紙表裏面にアルミ箔を貼合し、台紙原紙内の水分を一定に保持し、吸湿・乾燥しにくくした構造のものが市販されているが、高価である。
【先行技術文献】
【特許文献】
【０００８】
【特許文献１】実用新案登録第２５３８７４７号明細書
【発明の概要】
【発明が解決しようとする課題】
【０００９】
上記のように、印刷されたインクジェット用紙を貼付したアルバム台紙は、保存環境により、「反り」が発生し、見栄えが劣化する場合がある。本発明は、この課題、即ち「反り」を安価に抑制することのできるアルバム台紙とインクジェット用紙の貼付方法を提供するものである。
【課題を解決するための手段】
【００１０】
本発明者らは、上記課題を鋭意検討した結果、アルバム台紙に印刷されたインクジェット用紙を貼付する際、台紙基材とインクジェット用紙基材の縦目の方向が交差するように貼付することにより、保存時の台紙の「反り」が抑制されることを見出し本発明に至った。
【００１１】
即ち本発明は、アルバム台紙に、印刷されたインクジェット用紙を貼付して作成するアルバムにおいて、アルバム台紙基材の縦目とインクジェット用紙基材の縦目が交差するように貼付することを特徴とするアルバム台紙貼付方法である。
【発明の効果】
【００１２】
本発明によれば、アルバム台紙に印刷されたインクジェット用紙を貼付する際、台紙基材とインクジェット用紙基材の縦目が交差するように貼付することにより、保存時の台紙の「反り」が抑制され、安価な方法で見栄えの良いアルバムを維持することができる。特に、台紙基材とインクジェット用紙基材の縦目が直交するように貼付した場合、「反り」に対する抑制効果は更に高くなる。
【図面の簡単な説明】
【００１３】
【図１】台紙もしくはインクジェット用紙の「反り」と目の方向を示す斜視図。
【図２】基材の縦目の方向を示す矢印が印刷された台紙、インクジェット用紙及び、これらが貼付された状態を示す正面透視図。
【発明を実施するための形態】
【００１４】
以下、好ましい実施の形態を挙げて本発明を詳細に説明する。
【００１５】
本発明で用いられるアルバム台紙は、基材上に粘着剤が塗布されており、更にその塗布面上に保護紙、もしくはフィルムが貼付されている構成のものである。基材としては、上質紙等の紙が用いられ、インクジェット用紙を貼付することを考慮すると白色のものが好ましい。白色以外の場合、アルバムを端面から見た時に、インクジェット用紙（通常、端面は白色）との色差があり、見栄えとして好ましくないことがある。台紙の坪量としては、１００ｇ／ｍ２〜４５０ｇ／ｍ２のものが好ましい。１００ｇ／ｍ２未満の場合、台紙が薄いのでインクジェット用紙が貼付しにくくなり、また、４５０ｇ／ｍ２を超える場合、インクジェット用紙を貼付した時の「反り」抑制の効果が低くなることがある。粘着剤は、インクジェット用紙に対して再剥離性を有するものであり、台紙全面に均一塗布されている、もしくは、斜線状等部分的に塗布されているものが用いられる。粘着力としては、インクジェット用紙を再貼付するために剥離した場合、インクジェット用紙にシワが入る、折れる等の課題が生じない強度であって、保存時、インクジェット用紙が剥離しない強度が好ましい。上記保護紙、もしくはフィルムとしては、剥離除去して、インクジェット用紙を貼付するタイプのものと、透明フィルムを用い、それを剥離してインクジェット用紙を貼付した後、再貼付するタイプのものがある。
【００１６】
保存時の「反り」を抑制するためには、台紙とインクジェット用紙のサイズが近いことが好ましく、更に台紙の方が小さいサイズであることが好ましい。この場合、上記透明フィルムを再貼付するタイプは、その再貼付自体が困難であるため、保護紙、もしくはフィルムを剥離除去してインクジェット用紙を貼付するタイプの台紙を用いることが好ましい。台紙サイズが小さ過ぎると、アルバムを立てた状態で本棚等に置く場合、インクジェット用紙自重でインクジェット用紙が剥離し易く、また保存時、経時的にも剥離し易くなる。更に、台紙両面にインクジェット用紙を貼付した場合、２枚のインクジェット用紙が見開いてしまい、印刷画像のない裏面が見えてしまうので、見栄えの観点で好ましくない。また、台紙サイズがインクジェット用紙より大き過ぎると、「反り」を抑制する効果が得られにくくなる。
【００１７】
本発明で用いられるインクジェット用紙は、少なくとも基材上にインク受容層が積層された構成のものである。基材としては、紙、ＲＣ紙が用いられる。ＲＣ紙とは、中紙と称される紙にポリエチレン等の樹脂フィルムが積層されているものである。写真という観点から、インクジェット用紙印刷面の表面性として、光沢感のあるもの、もしくは、絹目調、半光沢、微光沢のものが好適に用いられる。また、台紙に貼付した際の保存時の「反り」を抑制する観点から、インクジェット用紙の全体坪量として１５０ｇ／ｍ２〜５００ｇ／ｍ２のものが好ましい。１５０ｇ／ｍ２未満の場合、その厚みが薄いため、写真としての風合いが低下し、また、５００ｇ／ｍ２の場合、印刷時の搬送性能に影響し、画像品位が低下することがある。
【００１８】
本発明のアルバム台紙とインクジェット用紙の貼付方法について以下に説明する。一般的に基材として用いられる紙には、縦目、横目という目が存在し、これは紙の抄造時に形成されるパルプ繊維の配向方向を示すものである。パルプ繊維は、抄紙機のＭＤ方向と平行に並び易いが、この方向を縦目、これに垂直な方向（抄紙機のＣＤ方向）を横目と称する。紙は保存時、湿度環境による伸縮により、通常「反り」が生ずるが、パルプ繊維の性質から縦目の方向より横目の方向の方が、その伸縮が大きく、従って「反り」も大きい。また横目の方向は剛度が低く、曲げ易いという性質もある。
【００１９】
上記紙の性質から、台紙とインクジェット用紙の縦目が同方向になるように貼付すると、各々の「反り」が同方向に生じ易くなり、またその「反り」は紙として曲げ易い方向でもあるので、互いの「反り」が増大し合い、見栄えとして良くないものになることがある。更にインクジェット用紙が台紙から剥離する場合もある。ここで、台紙とインクジェット用紙の縦目が同方向になるように貼付することは、横目が同方向になるように貼付することと同義である。
【００２０】
本発明の台紙とインクジェット用紙の貼付方法においては、その両者の縦目が交差するように貼付するので、反り易い方向と反りにくい方向が合わさることになり、上記のような「反り」が抑制されることになると推察される。更に、その交差角度が大きくなるほど「反り」に対する抑制効果は高まるので、特に直交するように貼付することが好ましい。
【００２１】
台紙、インクジェット用紙の目の方向は、霧吹きを使用する、風呂場を利用する等湿度の高い環境に放置することにより見分けることができる。一般的には図１のようになり、台紙、インクジェット用紙１ともに、矢印２が縦目、３が横目の方向である。
【００２２】
その目の方向を確実にして貼付するためには、アルバムにインクジェット用紙を同梱した形態で提供し、台紙とインクジェットの縦目が交差するように貼付方法を取扱説明書で示す、もしくは、サイズの工夫を行うことが好ましい。サイズの工夫とは、例えば、同梱されたアルバムの台紙とインクジェット用紙を同サイズにして、そのサイズが合うように貼付すると、自ずと縦目が直交するようになる等のことである。具体的には、台紙とインクジェット用紙を例えば２Ｌサイズとし、台紙は短辺に平行な方向が縦目になるようにし、インクジェット用紙は長辺に平行な方向が縦目になるようにする。これらを貼り合わせると、自ずと台紙とインクジェット用紙の縦目が直交するようになる。
【００２３】
サイズで工夫できない場合、即ち例えば、台紙、インクジェット用紙がともに正方形の場合（縦、横で長さにほとんど差がない場合）、台紙、インクジェット用紙基材の目の方向を示す記号、符号等の図柄を台紙表面、インクジェット用紙裏面に印刷を施しておく方法がある。ここで、台紙表面とは、台紙基材表面、もしくは粘着剤面の上面を意味する。図柄としては、特に限定はないが、例えば矢印等、方向を明確に示すものが好ましい。具体的には例えば、図２に示すように、台紙４表面に台紙基材の縦目の方向を示す矢印５を、台紙作製時に印刷しておく（台紙両面にインクジェット用紙を貼付する場合、台紙両表面に印刷しておく）。またインクジェット用紙６裏面にも、基材の縦目の方向を示す矢印７をインクジェット用紙作製時に印刷しておく。この矢印を確認して、それらが直交するように台紙に対してインクジェット用紙を貼付する。このことにより、台紙とインクジェット用紙の縦目が直交するようになる。尚、上記台紙とインクジェット用紙の縦目が交差する、もしくは直交するように貼付することは、横目が交差する、もしくは直交するように貼付することと同義である。
【実施例１】
【００２４】
インクジェットプリンタ（ＭＰ６３０、キヤノン（株）製）を用いて、２Ｌサイズのインクジェット用紙（ＧＬ−１０１、キヤノン（株）製）に黒ベタ印刷を行った。その後、１２枚の台紙が綴じられたアルバムに対して（台紙短辺側がアルバムの背に綴じられている）、６枚の台紙には片面に、残り６枚の台紙には両面に貼付した。ここで用いたインクジェット用紙は、ＲＣ紙が基材となっているものであり、ＲＣ紙中紙の目の方向は長辺に平行な方向が縦目である。また、台紙は、２Ｌサイズの上質紙（２００ｇ／ｍ２  王子製紙（株）製）を基材とし、短辺に平行な方向が縦目である。即ち、アルバム台紙基材の縦目とインクジェット用紙基材の縦目が直交するように貼付した。ここで用いた台紙は、上記基材に対して全面かつ両面に粘着剤が塗布されており、その粘着面上に透明フィルムが貼付されている構成である。この透明フィルムを剥離除去して、台紙とインクジェット用紙長辺同士、短辺同士が合うように貼付した。
【００２５】
このアルバムを立てた状態で３５℃／８０％、１５℃／２０％の温湿度環境に各々１ヶ月放置し、その後、台紙の反り量を測定した。反り量は、インクジェット用紙の貼付された台紙１２枚を１枚毎にして、水平な机の上に角が浮くような状態で置き、その角に対して、机上面からの高さを測定した値である。その結果、反り量は、３５℃／８０％、１５℃／２０％で各々最大４ｍｍ、６ｍｍであった。
【実施例２】
【００２６】
インクジェットプリンタ（ｉＰ３６００、キヤノン（株）製）を用いて、六切サイズのインクジェット用紙（ＧＰ−５０１、キヤノン（株）製）に黒ベタ印刷を行った。その後六切サイズの台紙に対して、実施例１同様に貼付した。ここで用いたインクジェット用紙は、紙が基材となっているものであり、その目の方向は長辺に平行な方向が縦目である。アルバムは実施例１と同構成であり、台紙基材は短辺に平行な方向が縦目である。即ち、アルバム台紙基材の縦目とインクジェット用紙基材の縦目が直交するように貼付した。
【００２７】
このアルバムを立てた状態で３５℃／８０％、１５℃／２０％の温湿度環境に各々１ヶ月放置し、その後、台紙の反り量を実施例１同様の方法で測定した。その結果、反り量は、３５℃／８０％、１５℃／２０％で各々最大７ｍｍ、９ｍｍであった。
【実施例３】
【００２８】
インクジェットプリンタ（ＭＰ６３０、キヤノン（株）製）を用いて、正方形サイズ（２１０ｍｍ×２１０ｍｍ）のインクジェット用紙（ＧＬ−１０１、キヤノン（株）製）に黒ベタ印刷を行った。その後、正方形サイズ（２１０ｍｍ×２１０ｍｍ）の台紙に対して、実施例１同様に貼付した。アルバムは実施例１と同構成であるが、ここで用いた台紙基材の両表面、インクジェット用紙裏面には、縦目の方向を示す矢印が印刷されており（台紙において、アルバムの天地方向と平行な方向が縦目である）、その矢印が直交するようインクジェット用紙を貼付した。即ち、アルバム台紙基材の縦目とインクジェット用紙基材の縦目が直交するように貼付した。
【００２９】
このアルバムを立てた状態で３５℃／８０％、１５℃／２０％の温湿度環境におの各々１ヶ月放置し、その後、台紙の反り量を実施例１同様の方法で測定した。その結果、反り量は、３５℃／８０％、１５℃／２０％で各々最大６ｍｍ、８ｍｍであった。
【００３０】
＜比較例１＞
実施例１のインクジェット用紙を、その短辺に平行な方向が縦目になるようにし、その他は実施例１と同様に行った。即ち、アルバム台紙基材の縦目とインクジェット用紙基材の縦目が同方向になるように貼付した。その結果、反り量は、３５℃／８０％、１５℃／２０％で各々最大２５ｍｍ、３２ｍｍであった。
【００３１】
＜比較例２＞
実施例２のインクジェット用紙を、その短辺に平行な方向が縦目になるようにし、その他は実施例１と同様に行った。即ち、アルバム台紙基材の縦目とインクジェット用紙基材の縦目が同方向になるように貼付した。その結果、反り量は、３５℃／８０％、１５℃／２０％で各々最大３０ｍｍ、３７ｍｍであった。
【００３２】
＜比較例３＞
実施例３のインクジェット用紙を、その裏面の矢印が台紙の矢印と同方向になるようにし、その他は実施例３と同様に行った。即ち、アルバム台紙基材の縦目とインクジェット用紙基材の縦目が同方向になるように貼付した。その結果、反り量は、３５℃／８０％、１５℃／２０％で各々最大２８ｍｍ、３５ｍｍであった。
【符号の説明】
【００３３】
１  台紙もしくはインクジェット用紙
２  縦目の方向
３  横目の方向
４  台紙
５  台紙基材の縦目の方向を示す矢印
６  インクジェット用紙
７  インクジェット用紙基材の縦目の方向を示す矢印
【図１】
2011046014.tif 000003
【図２】
2011046014.tif 000004